(57)【特許請求の範囲】
【請求項１】
観測井の孔底に設置された地中埋設型観測装置設置用の円筒型設置ケースの内面に突設されたキーの方位を計測する方位測定器具において、上記円筒型設置ケースに上方から嵌入可能な円柱型本体をそなえ、同円柱型本体の周面部に上記キーを嵌合可能なキー溝が形成されるとともに、同キー溝の下部に金属線が張設されていることを特徴とする、地中埋設型観測装置用設置ケースのキー方位測定器具。
【請求項２】
上記キーの方位の計測が、上記円柱型本体に取り付けた方位計により行なえるようにしたことを特徴とする、請求項１に記載の地中埋設型観測装置用設置ケースのキー方位測定器具。
【請求項３】
上記円柱型本体を上記円筒型設置ケースに嵌入した後回収し、上記金属線の状態から上記円柱型本体のキー溝に上記円筒型設置ケースのキーが嵌合したかどうかの判定を行なうようにしたことを特徴とする、請求項１または２に記載の地中埋設型観測装置用設置ケースのキー方位測定器具。
【発明の詳細な説明】
【０００１】
【発明の属する技術分野】
本発明は、地中埋設型観測装置に形成されたキー溝に嵌合して同観測装置の設置方位を設定するキーを内面にそなえ、観測井の孔底に設置された観測装置の設置ケースの上記キーの方位を計測するための方位測定器具に関する。
【０００２】
【従来の技術】
地震計や傾斜計など地中埋設型の観測装置は、検出感度方向を特定の方向、例えば感度軸を東西方向あるいは南北方向に合わせて設置する必要がある。
しかし、50ｍ以上の深い観測井の孔底で観測装置をその感度軸を所定の方向に合わせて設置することは極めて困難である。
【０００３】
一般に、観測装置をその感度軸を所定の方向に合わせて設置するために、次のよな手段がとられている。まず観測装置を設置される深い孔底に予めキー（このキーに観測装置のキー溝が嵌合して観測装置の方位が設定される）をそなえた設置ケースを埋設し、コンクリートで固定する。なお当然のことながら、このときキーの方位がどの向きにあるかは不明である。
【０００４】
そこで、このキーの方位（方向）を測定するため、下端部にキーに嵌合可能なキー溝を形成されるとともに磁気方位コンパス（またはジャイロコンパス）をそなえた円柱状の方位測定器具を孔底に降ろし、同方位測定器具上のキー溝が設置ケース上のキーに嵌合した時の方位を磁気方位コンパス（またはジャイロコンパス）で測定して、設置ケースに設けられているキーの方位の測定を行なっている。
【０００５】
そして測定されたキーの方位に基づき観測装置の感度軸を調節してから孔底の設置ケース内に観測装置を降ろし、同観測装置のキー溝に設置ケースのキーを嵌合させることにより、観測装置の感度軸を所定の方向に合わせて観測井に観測装置を設置している。
【０００６】
【発明が解決しようとする課題】
ところで、上述のようなキーの方位測定器具では、方位測定器具のキー溝が設置ケースに嵌合したことの確認を、従来はキー溝にペンキを塗ってから方位測定器具を孔底に降ろし、これを地上に回収してペンキの色の剥がれ具合で、キー溝がキーに擦れて嵌合したかどうかの確認を行なっている。
【０００７】
しかしこの方法は、ペンキの剥離具合やキー溝へのなじみ具合が、方位測定器具を構成する金属の種類やペンキの種類あるいはキーに対する嵌合の具合（たとえば嵌合速度や嵌合方向）によって異なるため、信頼性に乏しいという問題点がある。
本発明は、このような問題点を解決した地中埋設型観測装置用設置ケースのキー方位測定器具を提供しようとするものである。
【０００８】
【課題を解決するための手段】
本発明は、観測井の孔底に設置された地中埋設型観測装置設置用の円筒型設置ケースの内面に突設されたキーの方位を計測する方位測定器具において、上記円筒型設置ケースに上方から嵌入可能なキー溝を形成するとともに、同キー溝の下部に金属線を張設して課題解決の手段としている。
【０００９】
また、上記円柱型本体に取り付けた方位計により上記キーの方位の計測が行なえるようにして課題解決の手段としている。
【００１０】
さらに、上記円柱型本体を上記円筒型設置ケースに嵌入した後地上に回収し、上記金属線の状態から上記円柱型本体のキー溝に上記円筒型設置ケースのキーが嵌合したかどうかの判定を行なうようにして、課題解決の手段としている。
【００１１】
【発明の実施の形態】
以下、図面により本発明の一実施形態としての地中埋設型観測装置用設置ケースのキー方位測定器具について説明すると、図１はその正面図、図２はその底面図、図３は設置ケースの縦断面図、図４は図３のＢ−Ｂ矢視断面図である。
【００１２】
図１において、符号10は方位測定器具の円柱型本体を示しており、この円柱型本体10は円筒型設置ケース20に、上方からスムーズに嵌合可能な直径を有する円柱体により形成されるとともに、下端周面部に、設置ケース20に突設したキー21（図３，４参照）を嵌合可能なキー溝11が形成されている。
【００１３】
キー溝11は本体10の軸線Ａ−Ａと平行に形成され、かつキー21の高さａとほぼ同じ深さ（あるいはそれよりも若干深い深さ）をそなえている。
【００１４】
さらに本体10の周面部に、キー溝11の下部に連続しキー溝11とほぼ同じ深さの八字状の案内面12, 12を形成するために、本体10の表面部を深さａだけ扇形状に削り取って形成された扇形状の凹部13が形成されている。各案内面12, 12は両者間の間隔が下方に向かって拡がる傾斜状に形成されていて、左右一対の案内面12, 12により、八字状のキー案内部を形成している。
【００１５】
本体10に方位計（例えば磁気方位コンパス，ジャイロコンパス）14が取付けられている。
なお上述の構成は、従来の方位測定器具と同様である。
【００１６】
この実施形態では、上述の構成の方位測定器具の本体10のキー溝11の下部に細い金属線（例えば細い銅線）15が張設されている。
また設置ケース20は観測井の孔底に設置（固定）されていて、この設置ケース20に地中埋設型観測装置（図示せず）が後に設置される。
【００１７】
使用に際し、孔底に固定されている設置ケース20の上方から上述の構成の方位測定器具が降ろされる。
本体10の上部にロッド16が固設されていて、本体10の下降はロッド16を介して行なわれる。
【００１８】
本体10が設置ケース20の下底部付近まで降ろされると、本体10の案内面12が設置ケース20の下底部付近に突設されたキー21に接触する。キー溝11とキー21とが同一鉛直線上にあるときには、キー21は案内面12に接触することなく、直接キー溝1１に嵌入するが、そのようなケースは、実際にはほとんどあり得ない。
【００１９】
本体10をさらに下降させると、キー21に対する傾斜状の案内面12上の接触点が移動する。すなわち本体10は下降するにつれて回動する。なおこの回動を許容するため、ロッド16は回動可能に本体下降機構（図示せず）に取り付けられている。キー21がキー溝11と整合するとキー溝11にキー21が嵌入（嵌合）し、キー溝11の上端部までキー21が侵入した時点で、すなわち両者が完全に嵌合した時点で本体10の下降は停止する。
【００２０】
そして、キー21がキー溝11に嵌入（嵌合）するとき、キー溝11の下部に張設されている金属線15が切断される。
【００２１】
そして、本体10のキー溝11にキー21が嵌合した状態における本体10の方位が方位計14により計測され、図示しないケーブルを介して本体10の方位、すなわちキー21の方位が地上に送信される。
【００２２】
上記の操作の後、本体10が地上に回収される。そして、金属線15が切断されているかどうかを検査することで、上述の方位測定器具の設置ケース20への下降操作で、本体10のキー溝11に設置ケース20のキー21が嵌合したかどうかの判断がなされる。
【００２３】
そして、金属線15が切断されているときには、方位計14の上記計測結果が正確な方位であると判断する。切断されていないときは再度上記の操作を行なう。
【００２４】
このようにして、地中に埋設した設置ケース20のキー21の方位を確認することができる。そしてこのようにして得られたキー21の方位に基づいて地中埋設型の観測装置の感度軸の設定を行なうことにより、観測装置の感度軸を所定の方位に合わせて観測井に設置することができる。
【００２５】
【発明の効果】
以上詳述したように、本発明の地中埋設型観測装置用設置ケースのキー方位測定器具によれば、観測井に設置されて地中観測装置の設置の方位を設定するキーの方位の計測を、方位測定器具を上記キーを内面に突設された設置ケースに嵌合させて行なうに際し、同方位測定器を回収してそのキー溝の下部に張設した金属線の状態を検査するという簡単な操作で、正確に確認できるという利点が得られる。
【図面の簡単な説明】
【図１】本発明の一実施形態としての地中埋設型観測装置用設置ケースのキー方位測定器具の正面図。
【図２】同底面図。
【図３】設置ケースの縦断面図。
【図４】図３のＢ−Ｂ矢視断面図。
【符号の説明】
１０  方位測定器具の円柱型本体
１１  キー溝
１２  傾斜状の案内面
１３  扇形状の凹部
１４  方位計
１５  細い金属線
１６  ロッド
２０  円筒型設置ケース
２１  キー
【図１】
0003859092.tif 000002
【図２】
0003859092.tif 000003
【図３】
0003859092.tif 000004
【図４】
0003859092.tif 000005